(57)【要約】【課題】  ラグラン袖の作業服本体に対する自由度をより高めることができ、両腕を大きく回す動作をしても違和感や窮屈さを感じさせることがない作業服を提供する。【解決手段】  前身頃５，６の袖付部２ａ，２ｂとラグラン袖４の前袖部４ａをわずかな間隔を置いて配置し、前身頃５，６とラグラン袖４の裏側に伸縮布片１０を配置し、伸縮布片１０に前身頃５，６とラグラン袖４の前袖部４ａを縫着し、前身頃５，６とラグラン袖４の両端部に近い部位を互いに縫着し、後身頃７の袖付部２ｂとラグラン袖４の後袖部４ｂを突きき合わせて配置し、後身頃７の袖付部２ｂとラグラン袖４の後袖部４ｂの裏側に伸縮布片１２を配置し、伸縮布片１２を後身頃７とラグラン袖４の後袖部４ｂに縫着し、後身頃７とラグラン袖４の後袖部４ｂの両端部に近い部位を互いに縫着する。【選択図】  図１
0003111999.tif 000002
【実用新案登録請求の範囲】
【請求項１】
前身頃と後身頃とラグラン袖とを有し、ラグラン袖は前袖部と後袖部とを有し、前身頃と後身頃の側縁部を互いに縫着することにより袖付部を形成する作業服において、
前身頃の袖付部とラグラン袖の前袖部をわずかな間隔を置いて配置し、前身頃の袖付部とラグラン袖の前袖部の裏側に伸縮布片を配置し、伸縮布片に前身頃の袖付部と伸縮布片を縫着し、前身頃の袖付部とラグラン袖の前袖部の両端部に近い部位を互いに縫着し、後身頃の袖付部とラグラン袖の後袖部を突きき合わせて配置し、後身頃の袖付部とラグラン袖の後袖部の裏側に伸縮布片を配置し、伸縮布片に後身頃の袖付部と伸縮布片の一側縁を縫着し、後身頃の袖付部とラグラン袖の後袖部の両端部に近い部位を互いに縫着したことを特徴とする作業服。
【請求項２】
伸縮布片は、前身頃と後身頃ラグラン袖を形成する布地より伸縮性に富む布地であることを特徴とする請求項１に記載の作業服。
【考案の詳細な説明】
【技術分野】
【０００１】
本考案は、作業時における袖や身頃に懸かる負荷を軽減することで作業効率の向上を図るようにした作業服に関する。
【背景技術】
【０００２】
一般に、作業服は、綿のような天然繊維、又はポリエステル、アクリルのような合成繊維あるいはこれらを混紡した繊維の糸を用いた布地から作られるている。  
この種の作業服は、作業服を構成する布地の伸縮性により運動機能が決められるので、作業時における袖や身頃に懸かる負荷の軽減に限界がある。  
また、作業服の袖を通常の形式のものからラグラン袖に代ることで、袖に懸かる負荷を軽減し、腕の自由度を高めるようにした作業服も知られている。
【考案の開示】
【考案が解決しようとする課題】
【０００３】
しかしながら、ラグラン袖を有する作業服においても、ラグラン袖の構造により袖に懸かる負荷を軽減するものであるから、腕の自由度を高めることに限界がある。
【０００４】
本考案の目的は、従来技術の有する問題点を解消し、腕の自由度をより高めることで、作業時における袖や身頃に懸かる負荷を軽減し、作業効率の向上を図るようにした作業服を提供することにある。
【課題を解決するための手段】
【０００５】
本考案の作業服は、前身頃と後身頃とラグラン袖とを有し、ラグラン袖は前袖部と後袖部とを有し、前身頃と後身頃の側縁部を互いに縫着することにより袖付部を形成し、前身頃の袖付部とラグラン袖の前袖部をわずかな間隔を置いて配置し、前身頃の袖付部とラグラン袖の前袖部の裏側に伸縮布片を配置し、伸縮布片に前身頃の袖付部と伸縮布片を縫着し、前身頃の袖付部とラグラン袖の前袖部の両端部に近い部位を互いに縫着し、後身頃の袖付部とラグラン袖の後袖部を突きき合わせて配置し、後身頃の袖付部とラグラン袖の後袖部の裏側に伸縮布片を配置し、伸縮布片に後身頃の袖付部と伸縮布片の一側縁を縫着し、後身頃の袖付部とラグラン袖の後袖部の両端部に近い部位を互いに縫着して構成される。
【考案の効果】
【０００６】
本考案によれば、ラグラン袖を作業服本体の袖付部に伸縮布片を介して逢着し、ラグラン袖の袖部の両端部を作業服本体に結合するように縫着したことで、ラグラン袖の作業服本体に対する自由度をより高めることができ、両腕を大きく回す動作をしても違和感や窮屈さを感じさせることがない。
【考案を実施するための最良の形態】
【０００７】
以下、本考案による作業服の一実施形態を添付の図面を参照しながら説明する。  
本考案による作業服１は、図１および図２に示すように、作業服本体２と、作業服本体２に縫着された襟部３と、作業服本体２に縫着されたラグラン袖４，４とから構成されている。作業服１を構成する作業服本体２、襟部３およびラグラン袖４，４は、通常の布地から作られている。
【０００８】
上記作業服本体２は、左前身頃５と右前身頃６と後身頃７とを有する。左前身頃５には胸ポケット８ａおよび脇ポケット９ａが設けられている。右前身頃６には胸ポケット８ｂおよび脇ポケット９ｂが設けられている。後身頃７は、図２では一体構成であるが、左後身頃と右後身頃を縫着したものであってもよい。
【０００９】
作業服本体２の左袖付部２ａは、左前身頃５の側縁と後身頃７の左側縁を縫着することで形成される。作業服本体２の右袖付部２ｂは、右前身頃６の側縁と後身頃７の右側縁を縫着することで形成される。
【００１０】
上記ラグラン袖４は、ラグラン袖状に裁断した前袖部４ａとラグラン袖状に裁断した後袖部４ｂを両端縁に沿って縫着することで形成される。
【００１１】
上記作業服本体２の左前身頃５により形成される左袖付部２ａの裏面には、図３に示すように、細長く裁断したジャージ編地から形成される伸縮布片１０が配置されている。この伸縮布片１０の一側縁は、左前身頃５の側縁に沿って延びる縫糸１１により左前身頃５の側縁に縫着されている。
【００１２】
また、上記作業服本体２の後身頃７の左側縁により形成される左袖付部２ａの裏面には、図４に示すように、細長く裁断したジャージ編地から形成される伸縮布片１２が配置されている。この伸縮布片１２の一側端は、後身頃７の左側縁に沿って延びる縫糸１３により後身頃７の左側縁に縫着されている。
【００１３】
同様に、上記作業服本体２の右前身頃６により形成される右袖付部２ｂの裏面には、図３に示す伸縮布片１０と同一構成の伸縮布片が配置されている。この伸縮布片の一側縁は、右前身頃６の側縁に沿って延びる縫糸１１により右前身頃６の側縁に縫着されている。
【００１４】
また、上記作業服本体２の後身頃７の右側縁により形成される左袖付部２ｂの裏面には、図４に示す伸縮布片１２と同一構成の伸縮布片が配置されている。この伸縮布片の一側縁は、後身頃７の右側縁に沿って延びる縫糸１３により後身頃７の右側縁に縫着されている。
【００１５】
左袖を形成するラグラン袖４の前袖部４ａを作業服本体２の左前身頃５の左袖付部２ａに縫着するには、図３に示すように、ラグラン袖４の前袖部４ａを左前身頃５の側縁に沿って縫着した伸縮布片１０の上側で左前身頃５の左袖付部２ａに対してたとえば２ｍｍ程度の間隔Ｓを置くように配置し、ラグラン袖４の前袖部４ａをラグラン袖４の前袖部４ａに沿って延びる縫糸１４により伸縮布片１０の他側縁に縫着し、ラグラン袖４の前袖部４ａと左前身頃５の左袖付部２ａの両端部に近い部位をステッチ１５（図１では襟側のステッチは隠れている）により互いに縫着する。
【００１６】
左袖を形成するラグラン袖４の後袖部４ｂを作業服本体２の後身頃７の左袖付部２ａに縫着するには、図４に示すように、左ラグラン袖４の後袖部４ｂを後身頃７の左側縁に沿って縫着した伸縮布片１２の上側で後身頃７の左側縁に突き合わすように配置し、ラグラン袖４の後袖部４ｂをラグラン袖４の後袖部４ｂに沿って延びる縫糸１６により伸縮布片１２の他側縁に縫着し、ラグラン袖４の後袖部４ｂと後身頃７の左側縁の左袖付部２ａの両端部に近い部位をステッチ１７（図２では襟裏側のステッチは隠れている）により互いに縫着する。
【００１７】
このように、左袖を形成するラグラン袖４は、左ラグラン袖４の前袖部４ａを左前身頃５に伸縮布片１０を介して弾性的に橋絡し、左ラグラン袖４の後袖部４ｂを後身頃７の左側縁に伸縮布片１２を介して弾性的に橋絡することにより作業服本体２の左袖付部２ａに連結される。
【００１８】
右袖を形成するラグラン袖４の前袖部４ａを作業服本体２の右前身頃６の右袖付部２ｂに縫着するには、図３に示す左ラグラン袖４の前袖部４ａと同様に、ラグラン袖４の前袖部４ａを右前身頃６の側縁に沿って縫着した伸縮布片１０の上側で右前身頃６の右袖付部２ｂに対して２ｍｍ程度の間隔Ｓを置くように配置し、ラグラン袖４の前袖部４ａをラグラン袖４の前袖部４ａに沿って延びる縫糸１４により伸縮布片１０の他側縁に縫着し、ラグラン袖４の前袖部４ａと右前身頃６の右袖付部２ｂの両端部に近い部位をステッチ１５（図１では襟側のステッチは隠れている）により互いに縫着する。
【００１９】
右袖を形成する右ラグラン袖４の後袖部４ｂを作業服本体２の後身頃７の右袖付部２ｂに縫着するには、図４に示すラグラン袖４の前袖部４ａと同様に、ラグラン袖４の後袖部４ｂを後身頃７の右側縁に沿って縫着した伸縮布片１２の上側で後身頃７の右側縁に突き合わすように配置し、ラグラン袖４の後袖部４ｂをラグラン袖４の後袖部４ｂに沿って延びる縫糸１６により伸縮布片１２の他側縁に縫着し、ラグラン袖４の後袖部４ｂと後身頃７の右側縁の右袖付部２ｂの両端部に近い部位をステッチ１７（図２では襟裏側のステッチは隠れている）により互いに縫着する。
【００２０】
このように、右袖を形成するラグラン袖４は、ラグラン袖４の前袖部４ａを右前身頃６に伸縮布片１０を介して弾性的に橋絡し、ラグラン袖４の後袖部４ｂを後身頃７の右側縁に伸縮布片１２を介して弾性的に橋絡することにより作業服本体２の右袖付部２ｂに連結される。
【００２１】
本考案による作業服１は、ラグラン袖を作業服本体の袖付部に伸縮布片を介して弾性的に連結し、ラグラン袖と作業服本体の袖付部の両端部に近い部位を互いに固定することで、ラグラン袖の作業服本体に対する自由度を従来のラグラン袖より高めることができ、両腕を大きく回す動作をしても違和感や窮屈さを感じさせることがない。
【図面の簡単な説明】
【００２２】
【図１】本考案による作業服の前面部分を示す図である。
【図２】本考案による作業服の後面部分を示す図である。
【図３】図１のＩＩＩ−ＩＩＩ線に沿った断面図である。
【図４】図２のＩＶ−ＩＶ線に沿った断面図である。
【符号の説明】
【００２３】
１  作業服
２  作業服本体
４  ラグラン袖
５  左前身頃
６  右前身頃
７  後身頃
１０  伸縮布片
１２  伸縮布片
【図１】
0003111999.tif 000003
【図２】
0003111999.tif 000004
【図３】
0003111999.tif 000005
【図４】
0003111999.tif 000006